【手続補正書】
【提出日】平成17年2月28日(2005.2.28)
【手続補正１】
【補正対象書類名】明細書
【補正対象項目名】全文
【補正方法】変更
【補正の内容】
【書類名】      明細書
【発明の名称】  空気調和機
【特許請求の範囲】
【請求項１】  側壁を貫通する穴を介して室内機から室外へ連通するダクトと、上記ダクトを介して排気口から室内空気を上記室外へ排気し、また上記ダクトを介して吸気口から室外空気を室内に吸気する送風機とを備え、上記ダクト内の空気の流通方向を排気とする時間と吸気とする時間とを有することを特徴とする空気調和機。
【請求項２】  ダンパにより上記ダクト内の空気の流通方向を排気又は吸気に切り替えることを特徴とする請求項１記載の空気調和機。
【請求項３】  上記ダクトを介して排気口から室内空気を上記室外へ排気する第１の送風機と、上記ダクトを介して吸気口から室外空気を室内に吸気する第２の送風機を備えたことを特徴とする請求項１記載の空気調和機。
【請求項４】  上記ダクト内の空気の流通方向を排気とする時間と吸気とする時間の配分を変更することを特徴とする請求項１記載の空気調和機。
【請求項５】  側壁を貫通する穴を介して室内機から室外に連通するダクトと、上記室内機内に風路が上記ダクトと連通して配設され且つ回転方向の切り替えにより風向きの切り替えが可能な送風機とを備えたことを特徴とする空気調和機。
【請求項６】  室外空気の室内機への取り込み口および室内空気の上記室内機から室外への取り出し口の少なくともいずれか一方を室内循環空気の流れの熱交換器より上流側に配設したことを特徴とする請求項１または５記載の空気調和機。
【請求項７】  ダクト内に配設され排、吸気される室内空気および室外空気が内部を流通可能な蓄熱部材を備えたことを特徴とする請求項１または５記載の空気調和機。
【請求項８】  室内機およびダクト内にそれぞれ配設され排、吸気される室内空気および室外空気が内部を流通可能な一対の蓄熱部材を備えたことを特徴とする請求項１または５記載の空気調和機。
【請求項９】  蓄熱部材の室内空気および室外空気の流通方向に沿った外側面を断熱部材で覆ったことを特徴とする請求項７または８記載の空気調和機。
【請求項１０】  蓄熱部材をダクト内に配設される冷媒配管に当接させたことを特徴とする請求項７または８記載の空気調和機。
【請求項１１】  蓄熱部材は吸湿性を有していることを特徴とする請求項７または８記載の空気調和機。
【請求項１２】  蓄熱部材の温度変化の時定数を、室内から室外へ排気する動作と上記室外から上記室内に吸気する動作を交互に切り替える時間とほぼ同等に設定したことを特徴とする請求項７または８記載の空気調和機。
【請求項１３】  ダクトの室外側端部にフィルタを配設したことを特徴とする請求項１または５記載の空気調和機。
【請求項１４】  ダクトを抗菌、抗カビ材料入りの樹脂で形成したことを特徴とする請求項１または５記載の空気調和機。
【請求項１５】  冷暖房終了後、所定の時間排気動作を行うことを特徴とする請求項１または５記載の空気調和機。
【発明の詳細な説明】
【０００１】
【発明の属する技術分野】
この発明は、換気機能を備えた空気調和機に係り、特に換気のためのダクトの構成に関するものである。
【０００２】
【従来の技術】
この種の従来の空気調和機は、例えば特開平９−１７０７８３号公報に記載されているように、それぞれ別々に設けられた室外空気流通路および室内空気流通路を備え、各流通路に配置されるファンを動作させることにより、同時に室外の空気を室内に吸気するとともに、室内の空気を室外に排気するように構成されている。
【０００３】
【発明が解決しようとする課題】
従来の空気調和機は以上のように、室外空気を吸気する室外空気流通路および室内空気を排気する室内空気流通路を、壁に明けられた穴内に別々に設ける必要がある。しかしながら、一般に空調機を設置するために壁に設けられている穴の径は、穴明け工具の仕様等により６５ｍｍ前後に制限を受けているため、同時に穴を貫通する冷媒配管、ドレンホース、電線等を除いた残りの空間に、室外空気流通路および室内空気流通路を設けなければならず、流路断面積は非常に小さなものとなる。そして、流路断面積が小さいと、冷媒配管の曲がりや容積の大きな冷媒配管の連結部材が穴内に位置した場合等、流路が閉塞したり狭まったりして空気が流れにくくなり、安定した流量の換気ができないという問題点があった。
【０００４】
又、吸気と排気を別々の空気流通路を介して同時に行っているため、いずれか一方の空気流通路のファンの回転数を減少させることにより、流れる空気量を少なくして吸排気の配分を変えることは可能であるが、一方の空気流通路を流れる空気量を少なくした分だけ、他方の空気流通路を流れる空気量を多くすることはできないため、その間、一方の空気流通路空間は十分活用されていないことになり、空気流通路空間の利用効率が悪いという問題点があった。
【０００５】
この発明は上記のような問題点を解消するためになされたもので、安定した流量の換気および空気流通路空間の吸気と排気の配分を利用効率良く変えることが可能な空気調和機を提供することを目的とするものである。
【０００６】
【課題を解決するための手段】
この発明の請求項１に係る空気調和機は、側壁を貫通する穴を介して室内機から室外へ連通するダクトと、ダクトを介して排気口から室内空気を室外へ排気し、またダクトを介して吸気口から室外空気を室内に吸気する送風機とを備え、ダクト内の空気の流通方向を排気とする時間と吸気とする時間とを有するものである。
【０００７】
又、この発明の請求項２に係る空気調和機は、請求項１において、ダンパによりダクト内の空気の流通方向を排気又は吸気に切り替えるものである。
【０００８】
又、この発明の請求項３に係る空気調和機は、請求項１において、ダクトを介して排気口から室内空気を室外へ排気する第１の送風機と、ダクトを介して吸気口から室外空気を室内に吸気する第２の送風機を備えたものである。
【０００９】
又、この発明の請求項４に係る空気調和機は、請求項１において、ダクト内の空気の流通方向を排気とする時間と吸気とする時間の配分を変更するものである。
【００１０】
又、この発明の請求項５に係る空気調和機は、側壁を貫通する穴を介して室内機から室外に連通するダクトと、室内機内に風路がダクトと連通して配設され且つ回転方向の切り替えにより風向きの切り替えが可能な送風機とを備えたものである。
【００１１】
又、この発明の請求項６に係る空気調和機は、請求項１または５において、室外空気の室内機への取り込み口を室内循環空気の流れの熱交換器より上流側に配設したものである。
【００１２】
又、この発明の請求項７に係る空気調和機は、請求項１または５において、ダクト内に配設され排、吸気される室内空気および室外空気が内部を流通可能な蓄熱部材を備えたものである。
【００１３】
又、この発明の請求項８に係る空気調和機は、請求項１または５において、室内機およびダクト内にそれぞれ配設され排、吸気される室内空気および室外空気が内部を流通可能な一対の蓄熱部材を備えたものである。
【００１４】
又、この発明の請求項９に係る空気調和機は、請求項７または８において、蓄熱部材の室内空気および室外空気の流通方向に沿った外側面を断熱部材で覆ったものである。
【００１５】
又、この発明の請求項１０に係る空気調和機は、請求項７または８において、蓄熱部材をダクト内に配設される冷媒配管に当接させたものである。
【００１６】
又、この発明の請求項１１に係る空気調和機は、請求項７または８において、蓄熱部材が吸湿性を有したものである。
【００１７】
又、この発明の請求項１２に係る空気調和機は、請求項７または８において、蓄熱部材の温度変化の時定数を、室内から室外へ排気する動作と室外から室内に吸気する動作を交互に切り替える時間とほぼ同等に設定したものである。
【００１８】
又、この発明の請求項１３に係る空気調和機は、請求項１または５において、ダクトの室外側端部にフィルタを配設したものである。
【００１９】
又、この発明の請求項１４に係る空気調和機は、請求項１または５において、ダクトを抗菌、抗カビ材料入りの樹脂で形成したものである。
【００２０】
又、この発明の請求項１５に係る空気調和機は、請求項１または５において、冷暖房終了後、所定の時間排気動作を行うようにしたものである。
【００２１】
【発明の実施の形態】
実施の形態１．
以下、この発明の実施の形態を図に基づいて説明する。図１はこの発明の実施の形態１における空気調和機の換気部の構成を吸気時における空気の流れ状態とともに示す斜視図、図２は図１における空気調和機の換気部の構成を示す断面図、図３は図１における空気調和機の換気部の構成を排気時における空気の流れ状態とともに示す斜視図、図４は図３における空気調和機の換気部の構成を示す断面図、図５は図１における空気調和機の吸気時における空気の流れ状態を示す斜視図、図６は図１における空気調和機の排気時における空気の流れ状態を示す斜視図である。
【００２２】
図において、１は室内機の本体、２はこの本体１の側部に配設される函体で、中央部を仕切るように枠板２ａが形成されている。３、４はこの枠板２ａの両側に配設される第１および第２の送風機、５は第１の送風機３の排気側に形成される排気口、６は第２の送風機４の吸気側に形成される吸気口、７は図示しない操作機構により駆動され、排気口５および吸気口６を選択的に開閉する流路形成手段としてのダンパ、８は２〜７で構成される換気部で、本体１と共に室内機９を構成している。１０は一端が排気口５および吸気口６に連結され、他端が側壁１１を貫通する穴１２を介して室外に連通して開口するダクトであり、このダクト１０内には冷媒配管、ドレンホース、電線等が一緒に貫通して配設され、これらを除いた残りの空間が、空気の流通路として利用される。
【００２３】
次に、上記のように構成される実施の形態１における空気調和機の動作について説明する。
まず、室外の空気を室内に吸気する場合は、図１および図２に示すように操作機構（図示せず）を操作させることにより、ダンパ７を排気口５側に移動させ吸気口６を開放する。そして、第２の送風機４を動作させると、図中白ヌキ矢印で示すように、室外の空気はダクト１０−吸気口６−第２の送風機４の順に流れて室内に吸気される。
次いで、室内の空気を室外に排気する場合は、図３および図４に示すように操作機構（図示せず）を操作させることにより、上記の場合とは逆にダンパ７を吸気口６側に移動させ排気口５を開放する。そして、第１の送風機を動作させると、図中黒ヌリ矢印で示すように、室内の空気は第１の送風機３−排気口５−ダクト１０の順に流れて室外に排気される。
【００２４】
このように上記実施の形態１によれば、函体２内に排気口５ダクト１０に連通する第１の送風機３、および吸気口６がダクト１０に連通する第２の送風機４を配設するとともに、ダンパ７によりこれら排気口５および吸気口６を選択的に開閉するようにしているので、吸気および排気をダクト１０内の空気の流通路の全断面積を利用して行うことができるため、安定した流量の換気が可能になるとともに、部屋の環境に応じてダンパ７の開閉時間を設定することにより、吸気と排気の配分を容易に変えることが可能になる。
【００２５】
又、同一の流通路を吸気および排気に利用しているので、従来におけるように流通路を仕切板によって分割し、吸気および排気をそれぞれ別々の流通路によって行う場合に比較し、仕切板の断面積分だけ流通路の断面積を大きく利用することができるため、風量の多い換気が可能となり、元々ダクト１０内のわずかな断面積しか利用できない流通路においては、たかだか仕切板の断面積とはいえども、与える影響は非常に大きい。
【００２６】
尚、上記構成ではダンパ７を操作機構により駆動させるようにしているが、吸気、排気される空気の流れの力を受けて摺動、回転することにより、排気口５および吸気口６を開閉するようにしても良く、この場合、ダンパ７を駆動させるための操作機構が不要となるため構成的に簡略化される。
【００２７】
実施の形態２．
図７はこの発明の実施の形態２における空気調和機の換気部の構成を示し、（Ａ）は吸気時における空気の流れ状態とともに示す断面図、（Ｂ）は排気時における空気の流れ状態とともに示す断面図である。
図において、上記実施の形態１におけると同様な部分は同一符号を付して説明を省略する。１３は図中矢印で示すように回転方向の切り替えにより風向きの切り替えが可能な送風機、１４はこの送風機１３の周囲を取り囲むように形成された流通路、１５はこの流通路１４の一端側とダクト１０とを連通する室外側換気口、１６は流通路１４の他端側と室内機が設置される室内とを連通する室内側換気口である。
【００２８】
このように上記実施の形態２によれば、室外側換気口１５および室内側換気口１６を介してダクト１０および室内にそれぞれ連通する流通路１４内に、回転方向の切り替えにより風向きの切り替えが可能な送風機１３を配置し、吸気、排気に応じて適宜送風機１３の回転方向を切り替えるようにしているので、送風機１３の回転方向を電気的に切り替えるだけで、吸気時には図７Ａに示すようにダクト１０−室外側換気口１５−流通路１４−室内側換気口１６の順に室外の空気を室内に導入し、排気時には図７（Ｂ）に示すように室内側換気口１６−流通路１４−室外側換気口１５−ダクト１０の順に室内の空気を室外に導出することができるため、故障が少なく構成が簡単になる分、小型化されるとともに部品点数が削減され安価になる。
【００２９】
実施の形態３．
図８はこの発明の実施の形態３における空気調和機の要部の構成を示す斜視図である。
図において、上記実施の形態１におけると同様な部分は同一符号を付して説明を省略する。１７は換気部８の室外空気の室内機の本体１内への取り込み口で、図中黒ヌリ矢印で示す室内循環空気の流れの熱交換器１８より上流側に形成されている。
【００３０】
このように上記実施の形態３によれば、室外空気の室内機への取り込み口１７を、室内循環空気の流れの熱交換器１８より上流側に形成しているので、吸気された室外空気は熱交換器１８で一旦熱交換され適温になった後室内に導入されるため、吸気による室内温度むらの発生を防止し快適な換気動作が可能になる。なお、上記構成では取り込み口１７の配置について説明したが、室内空気を室内機の本体１内から換気部８側へ取り出す取り出し口（図示せず）を、取り込み口１７の場合と同様に室内循環空気の流れの熱交換器１８より上流側に形成するようにすれば、熱交換前の空気を室外に排出することになるため、熱の無駄を少なくし省力化を図ることができる。
【００３１】
実施の形態４．
図９はこの発明の実施の形態４における空気調和機の要部の構成を示し、（Ａ）は吸気時における空気の流れ状態とともに示す断面図、（Ｂ）は排気時における空気の流れ状態とともに示す断面図、図１０は図９における蓄熱部材の構成を示す斜視図、図１１は図９における蓄熱部材の図１０におけるとは異なる構成を示す斜視図である。
図において、上記実施の形態１におけると同様な部分は同一符号を付して説明を省略する。１９はダクト１０内に配設される蓄熱部材で、例えば図１０に示すようにアルミの板材でなり熱容量の大きな第１の部材１９ａと、この第１の部材１９ａ上に所定の間隙を介して立設される複数のアルミの薄板材でなる第２の部材１９ｂでフィン状に構成され、換気される室内空気および室外空気はこれら第２の部材１９ｂの間隙内を流通可能に成されている。
【００３２】
このように上記実施の形態４によれば、ダクト１０内に蓄熱部材１９を配設し換気される空気が第２の部材１９ｂの間隙内を流通するようにしているので、換気される空気が蓄熱部材１９を通過する時に、温度の高い方の空気は蓄熱部材１９に放熱し、温度の低い方の空気は蓄熱部材１９から受熱する。したがって、夏期における温度の高い室外空気は蓄熱部材１９に放熱して冷却された後室内に吸気され、又、冬期における温度の低い室外空気は蓄熱部材１９から受熱して暖められた後室内に吸気されるというように、排気の温度を有効利用して吸気の温度を室内温度に近づけることができるため、簡単な構成で換気の熱回収が可能になる。
【００３３】
なお、上記図９における構成では、蓄熱部材１９をダクト１０内に配設した場合について説明したが、本体１内側に配設するようにしても良く、又、上記図１０における構成では、蓄熱部材１９をフィン状に構成した場合について説明したが、これに限定されるものではなく例えば図１１に示すように、コルゲート状の薄板材２０ａと平板状の薄板材２０ｂとを積層してハニカム状の蓄熱部材２０を構成しても良く、上記図１０に示す蓄熱部材１９の場合と同様の効果を発揮し得ることは言うまでもない。
【００３４】
実施の形態５．
図１２はこの発明の実施の形態５における空気調和機の要部の構成を示す断面図である。
図において、上記実施の形態１におけると同様な部分は同一符号を付して説明を省略する。２１は例えば上記実施の形態４における両蓄熱部材１９、２０等と同様に構成され、室内機の本体１内およびダクト１０内にそれぞれ配設される一対の蓄熱部材である。
【００３５】
このように上記実施の形態５によれば、室内機の本体１内およびダクト１０内にそれぞれ蓄熱部材２１を配置するようにしたので、熱回収量が増加するとともに、上記実施の形態４におけるように例えば蓄熱部材１９を１個配置したものと同じ熱回収量とした場合、２個に分離したことで蓄熱部材２１の体積を小さくすることが可能となり、ダクト１０内の狭い空間に配置するのに適したものとなる。
【００３６】
又、図示はしないが、蓄熱部材１９の室内空気および室外空気の流通路に沿った外側面を断熱部材で覆うことにより、蓄熱部材１９が例えばダクト１０の内壁面等のような周囲物体に対して断熱されるので、熱の授受は室内空気および室外空気に対してのみ行われるため、さらに熱回収量の増大が可能になる。なお、上記実施の形態４における各蓄熱部１９、２０に適用しても同様の効果を得ることができる。
【００３７】
実施の形態６．
図１３はこの発明の実施の形態６における空気調和機の要部の構成を示す断面図である。
図において、２２はダクト１０内に冷媒配管２３に当接して配設される蓄熱部材である。
【００３８】
このように上記実施の形態６によれば、蓄熱部材２２をダクト１０内の冷媒配管２３に当接させるようにしたので、蓄熱部材２２の温度を夏は低温に、冬は高温にすることができ、室外空気を適温にしてから室内に吸気できるので、換気による室内の温度むらの発生を抑制することが可能になる。
【００３９】
実施の形態７．
この実施の形態７は、図示はしないが上記各実施の形態４ないし６における各蓄熱部材１９、２０、２１、２２の室内空気および室外空気と接する面に、例えばシリカゲルや塩化リチウム等のような吸水材を含浸させた部材、繊維な毛状繊維を多数植毛して保水機能を持たせた素材等を装着したものである。
【００４０】
このように上記実施の形態７によれば、吸水材を含浸させた部材や保水機能を有する素材等を装着することにより、各蓄熱部材１９、２０、２１、２２に吸湿性を持たせるようにしたので、夏場における換気時には、吸気される湿度の高い室外空気の水分を例えば蓄熱部材１９が吸着し、排気される乾燥した室内空気により吸着された水分を室外に放出し、又、冬場における換気時には、排気される湿度の高い室内空気の水分を蓄熱部材１９が吸着し、吸気される乾燥した室外空気により吸着された水分を室内に回収するというように、夏場は室外からの水分の侵入を、冬場は室内の水分の放出をそれぞれ防止することができるため、全熱回収が可能となり省エネが達成される。さらに又、上記実施の形態５におけるように一対の蓄熱部材が配設されたものに適用した場合、吸気、排気のいずれにおいてもダクト内への湿度の侵入を抑制することができる。
【００４１】
実施の形態８．
図１４はこの発明の実施の形態８における空気調和機の冬場の換気時における蓄熱部材と空気との温度関係を示す曲線図であり、図中、Ａは蓄熱部材の温度、Ｂは吸、排される室外空気および室内空気の温度で、蓄熱部材を通過した後の位置で測定されたものである。
図に示すように、例えば吸気の場合、吸気された室外の空気は蓄熱部材中を通過することにより暖められるが、時間の経過とともに蓄熱部材の温度の低下に伴って冷える。一方、切り替わって排気の場合、排気された室内の空気は蓄熱部材中を通過することにより冷やされるが、時間の経過とともに蓄熱部材の温度の上昇に伴って暖められる。
【００４２】
すなわち、蓄熱部材中では上記のように吸気、排気動作が繰り返されて蓄熱されるため、熱の授受は１回の吸気や排気の時間には比例せず、時定数を越えると熱の授受が減少する。したがって、蓄熱部材の温度の変化の時定数を吸、排気を切り替える時間とほぼ同等に設定することにより、効率良く熱回収を行うことが可能になる。
【００４３】
実施の形態９．
図１５はこの発明の実施の形態９における空気調和機の要部の構成を示す断面図である。
図において、上記実施の形態４におけると同様の部分は同一符号を付して説明を省略する。２４は抗菌、抗カビ材料入りの樹脂で形成されたダクト、２５はこのダクト２４の室外側端部に配設されたフィルタである。
【００４４】
このように上記実施の形態９によれば、ダクト２４を抗菌、抗カビ材料入りの樹脂で形成しているので、ダクト２４自身の汚染が防止されるとともに、吸気される室外空気の汚染を抑制することができ、又、フィルタ２５をダクト２４の室外側端部に配設したので、吸気の際に室外空気に含まれる悪臭、塵、花粉、ウイルス、排気ガス中の黒煙等が、ダクト２４内へ侵入し室内に取り込まれるのを防止し、清浄な換気が可能になる。
【００４５】
尚、上記各実施の形態においては述べなかったが、冷暖房終了後に所定の時間排気動作を行うようにすれば、ダクト内に残留する水分を排気と共に室外に放出することができ、快適な換気が可能になる。
【００４６】
【発明の効果】
以上のように、この発明の請求項１から請求項４によれば、安定した流量の換気および空気流通路空間の吸気と排気の配分を利用効率良く変えることが可能な空気調和機を提供することができる。
【００４７】
又、この発明の請求項５によれば、側壁を貫通する穴を介して室内機から室外に連通するダクトと、室内機内に風路がダクトと連通して配設され且つ回転方向の切り替えにより風向きの切り替えが可能な送風機とを備えたので、送風機の回転方向を電気的に切り替えるのみで、安定した流量の換気および空気流通路空間の吸気と排気の配分を利用効率良く変えることが可能な空気調和機を提供することができる。
【００４８】
又、この発明の請求項６によれば、請求項１または５において、室外空気の室内機への取り込み口を室内循環空気の流れの熱交換器より上流側に配設したので、熱の無駄を少なくし省力化を図ることが可能な空気調和機を提供することができる。
【００４９】
又、この発明の請求項７によれば、請求項１または５において、ダクト内に配設され排、吸気される室内空気および室外空気が内部を流通可能な蓄熱部材を備えたので、簡単な構成で換気の熱回収が可能な空気調和機を提供することができる。
【００５０】
又、この発明の請求項８によれば、請求項１または５において、室内機およびダクト内にそれぞれ配設され排、吸気される室内空気および室外空気が内部を流通可能な一対の蓄熱部材を備えたので、蓄熱部材を小型化しダクト内の配置を適正化することが可能な空気調和機を提供することができる。
【００５１】
又、この発明の請求項９によれば、請求項７または８において、蓄熱部材の室内空気および室外空気の流通方向に沿った外側面を断熱部材で覆ったので、熱回収量の増大化が可能な空気調和機を提供することができる。
【００５２】
又、この発明の請求項１０によれば、請求項７または８において、蓄熱部材をダクト内に配設される冷媒配管に当接させるようにしたので、廃熱を利用して熱効率を向上させることが可能な空気調和機を提供することができる。
【００５３】
又、この発明の請求項１１によれば、請求項７または８において、蓄熱部材に吸湿性を持たせたので、全熱回収が可能な空気調和機を提供することができる。
【００５４】
又、この発明の請求項１２によれば、請求項７または８において、蓄熱部材の温度変化の時定数を、室内から室外へ排気する動作と室外から室内に吸気する動作を交互に切り替える時間とほぼ同等に設定したので、効率良く熱回収することが可能な空気調和機を提供することができる。
【００５５】
又、この発明の請求項１３によれば、請求項１または５において、ダクトの室外側端部にフィルタを配設したので、清浄な換気が可能な空気調和機を提供することができる。
【００５６】
又、この発明の請求項１４によれば、請求項１または５において、ダクトを抗菌、抗カビ材料入りの樹脂で形成したので、ダクト自身の汚染を防止するとともに、吸気される室外空気の汚染を抑制することが可能な空気調和機を提供することができる。
【００５７】
又、この発明の請求項１５によれば、請求項１または５において、冷暖房終了後、所定の時間排気動作を行うようにしたので、ダクト内に残留する水分を除去することが可能な空気調和機を提供することができる。
【図面の簡単な説明】
【図１】  この発明の実施の形態１における空気調和機の換気部の構成を吸気時における空気の流れ状態とともに示す斜視図である。
【図２】  図１における空気調和機の換気部の構成を示す断面図である。
【図３】  図１における空気調和機の換気部の構成を排気時における空気の流れ状態とともに示す斜視図である。
【図４】  図３における空気調和機の換気部の構成を示す断面図である。
【図５】  図１における空気調和機の吸気時における空気の流れ状態を示す斜視図である。
【図６】  図１における空気調和機の排気時における空気の流れ状態を示す斜視図である。
【図７】  発明の実施の形態２における空気調和機の換気部の構成を示し、（Ａ）は吸気時における空気の流れ状態とともに示す断面図、（Ｂ）は排気時における空気の流れ状態とともに示す断面図である。
【図８】  この発明の実施の形態３における空気調和機の要部の構成を示す斜視図である。
【図９】  発明の実施の形態４における空気調和機の要部の構成を示し、（Ａ）は吸気時における空気の流れ状態とともに示す断面図、（Ｂ）は排気時における空気の流れ状態とともに示す断面図である。
【図１０】  図９における蓄熱部材の構成を示す斜視図である。
【図１１】  図９における蓄熱部材の図１０におけるとは異なる構成を示す斜視図である。
【図１２】  この発明の実施の形態５における空気調和機の要部の構成を示す断面図である。
【図１３】  この発明の実施の形態６における空気調和機の要部の構成を示す断面図である。
【図１４】  この発明の実施の形態８における空気調和機の換気時における蓄熱部材と空気の温度関係を示す曲線図である。
【図１５】  この発明の実施の形態９における空気調和機の要部の構成を示す断面図である。
【符号の説明】
２  函体、３  第１の送風機、４  第２の送風機、５  排気口、６  吸気口、
７  ダンパ、８  換気部、９  室内機、１０，２４  ダクト、１１  側壁、１２  穴、
１３  送風機、１４  流通路、１５  室外側換気口、１６  室内側換気口、
１７  取り込み口、１８  熱交換器、１９，２０，２１，２２  蓄熱部材、
１９ａ  第１の部材、１９ｂ  第２の部材、２０ａ，２０ｂ  薄板材、２３  冷媒配管、
２５  フィルタ。